(57)【要約】【課題】  食器カゴを洗浄槽内から昇降移動できるようにした食器洗い機を提供する。【解決手段】  洗浄槽３の内壁に食器カゴを昇降移動させる内側リンク２１を配設し、洗浄槽３の外壁に内側リンクを駆動する外側リンク２２を配設し、外側リンク２２を駆動機構３１によって駆動する。【選択図】  図２
2006141696.tif 000002
【特許請求の範囲】
【請求項１】
前方に開口する本体内に、上方に開口する洗浄槽を前方開口部から引き出し自在に収容し、洗浄槽内に食器類を収納する食器カゴを装着してなる食器洗い機であって、前記洗浄槽を前記本体から引き出した状態において前記食器カゴを任意高さ位置に昇降させる食器カゴ昇降駆動手段が設けられてなることを特徴とする食器洗い機。
【請求項２】
食器カゴ昇降駆動手段は、洗浄槽が所定の引き出し位置まで引き出されたことを検知する洗浄槽引き出し検知手段の検知動作に基づいて動作可能となるように構成されてなる請求項１に記載の食器洗い機。
【請求項３】
食器カゴ昇降駆動手段により上昇移動した食器カゴが所定下降位置に戻されるまで洗浄槽の本体内への移動をロックする洗浄槽移動ロック手段が設けられてなる請求項１に記載の食器洗い機。
【請求項４】
過負荷状態が検出されたとき、食器カゴ昇降駆動手段による食器カゴの昇降動作を停止させる過負荷状態検知手段が設けられてなる請求項１〜３いずれか一項に記載の食器洗い機。
【発明の詳細な説明】
【技術分野】
【０００１】
本発明は、キッチンカウンタ下などにビルトインされ、本体から上方に開口した洗浄槽を引き出して食器類を出し入れするプルオープン型の食器洗い機に関するものである。
【背景技術】
【０００２】
キッチンカウンタ下にビルトインされた食器洗い機の洗浄槽に食器類を出し入れするとき、洗浄槽の食器類収納位置はキッチンカウンタ面より低い位置になるため、食器洗い機の設置高さが低くなるに従って食器類の出し入れに際して腰を屈める必要が生じる。特に、シンク下に食器洗い機を設置した場合には洗浄槽の位置は低い位置になり、食器類の出し入れに際して腰を屈める度合いが大きく苦痛を伴う。同様に２台の食器洗い機を２段重ねに配置して処理容量を大きくした食器洗い機では、下段側の食器洗い機の洗浄槽は床面に近い位置になり、下段側の食器洗い機に対して食器類を出し入れするときには、屈み込んだ姿勢になることが強いられる。
【０００３】
このような低い位置にある洗浄槽に対しての食器類の出し入れや残菜フィルタ等の清掃作業を容易に行い得るようにするために、洗浄槽の前面を扉体として下方に開くフロントオープン型の食器洗い機においては、開いて水平状態になった扉体上に食器類を収納する食器カゴを洗浄槽内から引き出しできるように構成し、昇降機構によって食器カゴを上昇させ得るようにした食器洗い機が提案されている（特許文献１参照）。
【特許文献１】特開１０−１７９４９５号公報（第２〜３頁、図１）
【発明の開示】
【発明が解決しようとする課題】
【０００４】
しかしながら、上方に開口する洗浄槽を本体の前方開口部から前方に引き出して洗浄槽の上方を開放して食器類を出し入れするプルオープン型の食器洗い機では、食器カゴを水平方向に移動させることは不可能であり、食器カゴを昇降移動させるには洗浄槽内に昇降機構を配設する必要がある。しかし、洗浄槽の内側底面には回転しながら洗浄水を噴射する洗浄ノズルや残菜フィルタ、ヒータなどが配設されており、外側底面には給排水の配管などが配設されているため昇降機構を配設する余地はない。
【０００５】
また、食器カゴを昇降移動させるために昇降機構を設けると、洗浄槽の有効利用容積を縮小させることになりかねず、食器洗い機が徒に大型化する恐れがある。
【０００６】
本発明が目的とするところは、洗浄槽の有効利用容積の縮小を極力抑えつつ食器カゴを昇降移動させることを可能にしたプルオープン型の食器洗い機を提供することにある。
【課題を解決するための手段】
【０００７】
上記目的を達成するための本発明は、前方に開口する本体内に、上方に開口する洗浄槽を前方開口部から引き出し自在に収容し、洗浄槽内に食器類を収納する食器カゴを装着してなる食器洗い機であって、前記洗浄槽を前記本体から引き出した状態において前記食器カゴを任意高さ位置に昇降させる食器カゴ昇降駆動手段が設けられてなることを特徴とする。
【０００８】
上記構成によれば、洗浄槽を本体から引き出すと、洗浄槽の上方は開放されるので、食器カゴ昇降駆動手段によって食器カゴを洗浄槽内から任意の高さ位置に上昇させることができる。キッチンカウンタより低い位置に設置される食器洗い機では洗浄槽の内部はより低い位置となって食器類の出し入れに腰を屈めることが多くなるが、食器カゴが上昇すると、食器カゴから食器類を出し入れする作業に際して腰を屈めることがなく作業性が向上する。特にシンク下など床面に近い位置に設置される食器洗い機に有効となる。
【０００９】
上記構成において、食器カゴの上昇は洗浄槽が本体から引き出されている状態に限定する必要がある。そこで、食器カゴ昇降駆動手段は、洗浄槽が所定の引き出し位置まで引き出されたことを検知する洗浄槽引き出し検知手段の検知動作に基づいて動作可能となるように構成することにより、洗浄槽の上方が充分に開放される所定引き出し位置まで引き出されていない状態で食器カゴが上昇して食器カゴやそれに収納された食器類を本体の天面に衝突させてしまうことを防止することができる。
【００１０】
また、食器カゴを上昇させた状態で洗浄槽が本体内に押し入れられると、食器カゴやそれに収納された食器類を本体前縁に衝突させることになるので、食器カゴ昇降駆動手段により上昇移動した食器カゴが所定下降位置に戻されるまで洗浄槽の本体内への移動をロックする洗浄槽移動ロック手段を設けることが有効となる。
【００１１】
また、食器カゴに手指や異物が挟まったような状態、洗浄槽が本体から充分に引き出されていない状態、食器類が本体や洗浄槽と干渉しているような状態など、食器カゴの昇降に障害が生じているときには、直ちに食器カゴの昇降動作を停止する必要がある。そこで、前記のような食器カゴ昇降駆動手段が過負荷状態にあることが検出されたとき、食器カゴ昇降駆動手段による食器カゴの昇降動作を停止させる過負荷状態検知手段を設けることが望ましい構成となる。
【発明の効果】
【００１２】
本発明によれば、前方に開口する本体内に上方に開口する洗浄槽を前方開口部から引き出し自在に収容したプルオープン型の食器洗い機が低い位置に設置されている場合でも食器類を収納した食器カゴを任意高さ位置に昇降移動させることができるので、食器カゴに対して食器類を出し入れする作業が容易となる効果が得られる。
【発明を実施するための最良の形態】
【００１３】
以下、添付図面を参照して本発明を具体化した実施形態について説明する。尚、本実施形態は本発明を具体化した一例であって、本発明の構成を限定するものではない。
【００１４】
図１は、キッチンカウンタ５０に設けられたシンク５１の下に実施形態に係るプルオープン型の食器洗い機１をビルトインした状態を模式的に示すもので、本体４から洗浄槽３を引き出した状態を示している。食器洗い機１は、キッチンカウンタ５０の下方に設置された本体４内に洗浄槽３を収容して構成され、洗浄槽３はレール９を摺動して本体４の前面開口部から前方に引き出すことにより上方が開放されるので、洗浄槽３内に配設された食器カゴ５に対して食器類を出し入れすることができる。
【００１５】
食器類の出し入れに際し、食器カゴ昇降駆動機構（食器カゴ昇降駆動手段）２により食器カゴ５を上昇移動させると、食器カゴ５に対して食器類を出し入れする作業が容易となる。特に、図示するように食器洗い機１をシンク５１の下に設置した場合などのように設置位置が低くなるに従って食器カゴ５から食器類を出し入れするのに腰を屈める苦痛を伴うことが多くなるが、食器カゴ５を上昇させることにより食器類の出し入れ作業や洗浄槽３内の清掃作業等をより容易にすることができる。また、食器カゴ昇降駆動機構２による食器カゴ５の昇降位置は可動範囲内で任意に設定することができるので、食器洗い機１の設置高さ位置や作業者の身長や好みに合わせて任意高さ位置に上昇させることができる。
【００１６】
前記食器カゴ昇降駆動機構２は、図２に示すように、洗浄槽３の左右両内側面に配設された一対の内側リンク２１を洗浄槽３の左右外側面に配設された一対の外側リンク２２によって駆動するように構成されている。前記内側リンク２１は、支持レール（食器カゴ支持手段）２３上に食器カゴ５が着脱可能に載置され、図３（ａ）（ｂ）に示すように、内側リンクアーム２４、２４がその一端側を回動軸２６として前記外側リンク２２によって回動駆動されることにより、内側リンクアーム２４、２４の他端側に設けられたローラ２５が係合する支持レール２３は、図３（ａ）に示す下降位置から図３（ｂ）に示す上昇位置に上昇移動するので、支持レール２３上に支持された食器カゴ５を上昇移動させることができる。内側リンクアーム２４、２４は言い換えれば一端側で回動駆動されるスイングアームであり、一対のスイングアームが同期回動し、他端側に設けられたローラ２５が支持レール２３に沿って滑動することにより平行リンクとしての動きをなし、支持レール２３の水平状態を維持して昇降移動させる。
【００１７】
一対の内側リンクアーム２４、２４それぞれの一端側を軸支する回動軸２６は、図５に示すように、それぞれシール構造３０を介して洗浄槽３の側壁３ａを貫通し、外側リンク２２を構成する第１及び第２の各外側リンクアーム２７、２８の一端側にそれぞれ軸支される。
【００１８】
前記外側リンク２２は、図４（ａ）（ｂ）に示すように、第１の外側リンクアーム２７ａと第２の外側リンクアーム２７ｂとを連結アーム２８により枢支した平行リンクが構成されており、第１の外側リンクアーム２７ａの他端側に枢支された駆動アーム２９が駆動機構３１により進退駆動されることにより外側リンク２２は回動して前記内側リンク２１を回動駆動する。
【００１９】
前記駆動機構３１は、洗浄槽３の背面側左右に一対に配設され、モータ３２の回転をシリンダ３３内でピストン３４を進退移動させる進退運動に変換し、ピストン３４の先端に接合された前記駆動アーム２９を進退移動させるように構成されている。左右一対の駆動機構３１はモータ３２を同期回転させることにより同期作動して左右一対の外側リンク２２を同期回動させ、左右一対の内側リンク２１を同期駆動するので、支持レール２３は左右昇降高さ位置に偏りを生じさせることなく昇降移動し、食器カゴ５を安定して昇降させることができる。尚、ここでは左右一対の駆動機構３１をそれぞれモータ３２により駆動しているが、１つのモータ３２により一対の駆動機構３１を連動できるように構成することもできる。
【００２０】
本構成のように洗浄槽３の左右両内側面に内側リンク２１を配設し、これに対面する洗浄槽３の左右両外側面に外側リンク２２を配設することにより、回転する洗浄ノズルや残菜フィルタ、更には給排水配管などが配設されて余地のない洗浄槽３の底面に昇降機構を設ける必要がなく、洗浄槽３として必要不可欠な構成要素の構築に支障を及ぼすことなく食器カゴ５の昇降移動を実現することができる。また、洗浄槽３の左右両側面の内外で対面する位置に内側リンク２１と外側リンク２２とを配設しているので、駆動力を伝達するために駆動軸２６を左右両側壁を貫通させるだけでよく、洗浄槽３の密閉性を保つためのシール構造３０を簡易に構成することができる。また、内側リンク２１及び外側リンク２２は板材の連結によって構成できるので占有体積が小さく、洗浄槽３内の有効容積を減少させてしまうことが抑えられ、洗浄槽３として構成要素の配置が少ない左右両側面を利用して食器カゴ５の昇降機構を構築することができる。
【００２１】
上記食器カゴ昇降駆動機構２によって昇降移動する食器カゴ５は、支持レール２３に対して複数位置で嵌合し、着脱可能に載置される。食器カゴ５は残菜フィルタなど洗浄槽３内の清掃を行う場合には取り外して洗浄槽３の底面が開放されるようにする必要があるので、支持レール２３に対して簡易な嵌合構造で位置決め固定される。しかし、食器カゴ５が載置された支持レール２３は、図５に示すように、一対の内側リンクアーム２４，２４の先端部にそれぞれ設けられたローラ２５，２５の内溝２５ａに摺動部２３ａを嵌め込み、ローラ２５，２５が自在滑動できるようにしているので、左右方向に対しては位置保持されるが、前後方向には移動しやすい状態にある。従って、支持レール２３上に載置された食器カゴ５も前後方向に移動して洗浄槽３の内壁に接触しやすくなる。そこで、食器カゴ５が洗浄槽３の内壁に接触した場合に、大きな面積で接触して昇降移動に対して抵抗を生じることがないように、図２及び図３に示すように、洗浄槽３の前後内壁に垂直方向の突出ガイド１６を設けるのが好ましい形態となる。突出ガイド１６により支持レール２３の前後方向の移動により食器カゴ５が洗浄槽３の内壁に接触しても小さい面積での接触となるので、昇降移動に対して大きな抵抗が生じることがない。
【００２２】
また、一対のローラ２５，２５が支持レール２３の摺動部２３ａと嵌合している位置は、図３に示すように、昇降位置によって変化し、支持レール２３は一対のローラ２５，２５上に載った状態にあるので、食器カゴ５に収納した食器類の重量に大きな偏りがあったときや、食器カゴ５の一方に押圧力が加えられたような場合に、支持レール２３がローラ２５，２５から外れる恐れがある。これを防止するために、図５に示すように、支持レール２３の下方にローラ２５，２５の下方まで進出するように折り曲げ形成した逸脱防止部２３ｂが設けられている。この逸脱防止部２３ｂがあることによって、支持レール２３に水平方向から傾けるような作用が及んだ際にも逸脱防止部２３ｂがローラ２５に接触するので、ローラ２５と支持レール２３との係合状態は維持される。
【００２３】
上記構成になる食器カゴ昇降駆動機構２は、図２に示すように、洗浄槽３の上縁部前方側に配設された昇降操作ボタン（昇降操作手段）６を押圧操作することにより作動させることができる。食器カゴ５の上昇移動は、洗浄槽３を本体４から所定の引き出し位置、即ち洗浄槽３の上方開口部が充分に開放されて食器カゴ５の上方に障害物が存在しない状態になる引き出し位置まで洗浄槽３が引き出された状態で実行されることを要する。従って、昇降操作ボタン６により食器カゴ５を上昇させるための操作は、洗浄槽３が所定引き出し位置まで引き出されたことを検知した後に可能となるように構成する必要がある。また、食器カゴ５を上昇させたままの状態で洗浄槽３を本体４内に押し入れると、上昇位置にある食器カゴ５やそれに収納された食器類を本体４の前縁部やキッチンカウンタ５０の構成物に衝突させてしまうことになる。このような取扱いミスを回避するために、食器カゴ５が上昇位置にあるときには洗浄槽３の押し入れ動作ができないようにする必要がある。
【００２４】
図６に制御構成を示すように、昇降操作ボタン６からの操作入力に応じて駆動機構３１の２つのモータ３２を同期制御する制御部１０には、洗浄槽３が所定の引き出し位置まで引き出されたことを検知する洗浄槽引き出し検知手段１１の検知出力が入力されるので、制御部１０は洗浄槽引き出し検知手段１１から検知出力が入力されていない状態では、昇降操作ボタン６からの操作入力を受け付けないか、操作入力がなされてもモータ３２を始動させない制御を実行することができる。前記洗浄槽引き出し検知手段１１は、洗浄槽３の所定位置が本体４の所定位置を通過したか否かで検知することができ、機械的、電気的、光学的なスイッチにより簡易に構成することができる。
【００２５】
また、食器カゴ５の下降限度位置及び上昇限度位置を検知する上昇限度位置検知手段１２及び下降限度位置検知手段１３を設けることにより、食器カゴ５が下降限度位置より上にある状態が検知できるので、下降限度位置検知手段１３からの検知出力が制御部１０に入力されていないときには、制御部１０は洗浄槽移動ロック手段１４を作動させ、食器カゴ５が下降限度位置、即ち食器洗浄するための食器カゴ５の位置に戻されていないとき、洗浄槽３を本体４内に押し入れる動作がなされることを防止し、食器カゴ５や食器類を本体４などに衝突させてしまう取扱いミスを回避することができる。前記上昇限度位置検知手段１２及び下降限度位置検知手段１３は、駆動アーム２９、ピストン３４の進退移動位置、あるいは第１及び第２の各外側リンクアーム２７ａ，２７ｂの回動角度を検知する機械的、電気的、光学的なスイッチにより簡易に構成することができる。
【００２６】
前記昇降操作ボタン６は様々なスイッチ形態に構成することができるが、防水構造に構成しやすい押ボタンスイッチが好ましく、表面への突出量を小さく構成することができるので、水の飛散を受けやすく本体４との間隙が少ない洗浄槽３の上縁部に配設するのに好適な形態となる。また、昇降操作ボタン６は上昇ボタン６ａと下降ボタン６ｂとを個別に設けるのが操作しやすく好ましいものとなる。上昇ボタン６ａ及び下降ボタン６ｂは押圧を加えている間は食器カゴ昇降駆動機構２により食器カゴ５の上昇駆動がなされ、押圧を解除することにより食器カゴ５の上昇駆動が停止するように構成すると、食器カゴ５を所望の高さ位置に上昇させることができる。上昇ボタン６ａ又は下降ボタン６ｂの押圧操作が継続されても、前記上昇限度位置検知手段１２又は下降限度位置検知手段１３により食器カゴ５が上昇限度位置又は下降限度位置に達したことが検知されたときには、制御部１０は上昇ボタン６ａ又は下降ボタン６ｂの押圧操作に優先して食器カゴ５の昇降を停止させるように制御する。
【００２７】
また、下降ボタン６ｂは１回の押圧操作により下降動作が継続されるように構成することが好適で、制御部１０は下降限度位置検知手段１３により食器カゴ５が下降限度位置に達したことを検知するまで食器カゴ昇降駆動機構２を作動させるので、食器カゴ５を洗浄位置に速やかに戻すことができる。
【００２８】
上述のように昇降操作ボタン６を洗浄槽３の上縁部に配設することにより、洗浄槽３を引き出した状態以外では操作できないので好適である。また、洗浄槽３の前側面と前面の扉体７との間に形成される空間には食器洗い機１の運転を制御する制御基板等が配設され、制御部１０を構成するのに好適な空間となり、昇降操作ボタン６との配線接続も容易となる。
【００２９】
また、昇降操作ボタン６は洗浄槽３の上縁部の略中央部位に設けることにより、引き出された洗浄槽３の左右いずれの側に作業者が位置していても操作が容易となる。しかし、作業者が引き出された洗浄槽３の横に居る場合に、昇降操作ボタン６は作業者の斜め後ろ方向になるので操作し難い場合も発生する。これを解決するために、昇降操作ボタン６は作業者が最も操作しやすい位置に設けることも可能で、洗浄槽３との配線接続が可能な位置以外であれば、ワイヤレス接続を適用することができる。また、昇降操作ボタン６を発信機と共に一体化したリモートコントロール端末に構成し、洗浄槽３に受信部を設けて食器カゴ５の昇降移動を遠隔操作できるようにすると、操作性は格段に向上する。
【００３０】
昇降操作ボタン６はいずれの形態に構成しても作業者以外、例えば子供が興味本位に操作してしまうことがあり得るため、出し入れ途中の食器類に損傷を与える恐れがある。これを解決するために、図６に示すように、昇降操作ボタン６の中にロックボタン６ｃを設け、ロックボタン６ｃが押圧操作されると、設定した食器カゴ５の昇降高さ位置が保持され、上昇ボタン６ａ又は下降ボタン６ｂの押圧操作に反応しないように制御することができる。
【００３１】
また、作業者自身あるいは子供が洗浄槽３に手指を掛けている状態で食器カゴ５の昇降が実行されてしまうこともあり得る。食器カゴ５は格子状の構造であるため、上昇位置にある食器カゴ５に手指が差し込まれやすく、手指だけでなく異物を挟み込む場合もある。また、洗浄槽３内に異物を落としたことに気付かない場合や、スプーンやフォーク等を食器カゴ５の昇降移動中に落としてしまうこともあり得る。このような手指や異物が食器カゴ５の昇降移動の障害となる状態は食器カゴ昇降駆動機構２に故障を発生させる原因ともなる。なによりも人身に危険が及ぶことを防止する必要がある。食器カゴ５の昇降移動に障害となる状態が生じると、食器カゴ昇降駆動機構２は過負荷状態となり、モータ３２に過負荷電流が流れる。そこで、図６に示すように、モータ３２の負荷電流を検知する過負荷状態検知手段１５を設け、負荷電流が急増する過負荷状態が検知されたときには検知出力を制御部１０に入力するように構成すると、制御部１０はモータ３２の運転を停止して食器カゴ５の昇降移動を停止させることができるので、人身に対する安全を図り、故障発生を予防することができる。前記過負荷状態検知手段１５による過負荷状態の検知は、モータ３２の過負荷電流を検知する方法に限定されるものではなく、支持レール２３などに加わる圧力やその変動から過負荷状態を検知する圧力検知による方法などを適用することができる。
【００３２】
上記過負荷状態検知手段１５は、前述した洗浄槽引き出し検知手段１１や洗浄槽移動ロック手段１４が正常に機能しなかった場合の二重の安全機能としても有効である。即ち、洗浄槽引き出し検知手段１１が正常に機能しなかったとき、洗浄槽３が所定の引き出し位置まで引き出されていない状態で食器カゴ５の昇降移動が可能となり、洗浄槽移動ロック手段１４が正常に機能しなかった、食器カゴ５を下降移動させながら洗浄槽３を本体４内に押し入れる動作が可能になるので、いずれの場合も食器カゴ５あるいは食器類と本体４とが干渉するので、食器カゴ昇降駆動機構２は過負荷状態となり、過負荷状態検知手段１５によって食器カゴ５の昇降移動は停止される。
【００３３】
以上説明した実施形態の構成において、食器カゴ５を昇降移動させる食器カゴ昇降手段は、一対のスイングアームである内側リンクアーム２４，２４を支持レール２３に係合させて平行リンクを形成した内側リンク２１として構成しているが、外側リンク２２によって回動駆動される回動軸２６により回動するカムによって支持レール２３を昇降移動させるように構成することもできる。食器カゴ５の昇降移動は、ラック・ピニオン機構やエレベータ構造などの垂直方向駆動によっても可能であるが、洗浄槽３の側壁に垂直方向の溝が形成されて洗浄槽３の密閉性が損なわれることや耐久性などの問題があるため、側壁に回動軸２６を貫通させる上述のような構成が好適なものとなる。
【００３４】
また、食器カゴ昇降手段を駆動する昇降駆動手段として、実施形態においては外側リンク２２を駆動機構３１によって駆動するように構成しているが、各回動軸２６を減速機構を備えたモータによって直接駆動することもできる。各モータを同期運転することによって支持レール２３の水平状態を維持して昇降移動させることができる。また、洗浄槽３の両側面毎に１つのモータで２つの回動軸２６を連動駆動することもできる。また、各駆動軸２６に固定したピニオンを駆動機構３１によって進退駆動されるラックによって回動させるように構成することもできる。
【産業上の利用可能性】
【００３５】
以上の説明の通り本発明によれば、食器カゴを任意高さ位置に昇降移動させることができるので、食器洗い機の設置位置が低い位置になる場合でも食器カゴに対して食器類を出し入れする作業が容易になり、使い勝手のよい食器洗い機に構成することができる。また、食器カゴを昇降移動させるための食器カゴ昇降駆動機構の配設によって洗浄槽の容積が大きく縮小されてしまうことがなく、徒に大型化することなく利便性の高い食器洗い機を提供することができる。
【図面の簡単な説明】
【００３６】
【図１】実施形態に係る食器洗い機の概要構成を示す模式図。
【図２】同上食器洗い機の洗浄槽の構成を示す斜視図。
【図３】食器カゴ昇降駆動機構を構成する内側リンクの構成動作を（ａ）食器カゴ下降時、（ｂ）食器カゴ上昇時として示す断面図。
【図４】食器カゴ昇降駆動機構を構成する外側リンク及び駆動機構の構成動作を（ａ）食器カゴ下降時、（ｂ）食器カゴ上昇時として示す側面図。
【図５】支持レール、内側リンクアーム、外側リンクアームの連結構造を示す断面図。
【図６】実施形態に係る食器洗い機の制御構成を示すブロック図。
【符号の説明】
【００３７】
１  食器洗い機
２  食器カゴ昇降駆動機構（食器カゴ昇降駆動手段）
３  洗浄槽
４  本体
５  食器カゴ
６  昇降操作ボタン
１０  制御部
１１  洗浄槽引き出し検知手段
１４  洗浄槽移動ロック手段
１５  過負荷状態検知手段
【図１】
2006141696.tif 000003
【図２】
2006141696.tif 000004
【図３】
2006141696.tif 000005
【図４】
2006141696.tif 000006
【図５】
2006141696.tif 000007
【図６】
2006141696.tif 000008